(57)【要約】【課題】回転繰出式筆記具に可動する装飾体を配設し、玩具的な趣向性を有するものを提供する。【解決手段】筆記体の筆記先端部を前軸の先端開口部より出没させる回転繰出機構を有した回転繰出式筆記具であって、各々の摺動体の後端に連設部を設け、連設部の後端に装飾部を有した装飾体を配し、摺動体の後端より後方の後軸に、各装飾体が挿通する没入孔を有した没入部を設け、装飾体を没入孔に挿入し、後軸を回転して各々の筆記体の筆記先端部を軸筒の先端開口部より突出した際に、筆記体に連設した装飾体の装飾部が没入部の没入孔に没入し、軸筒の開口部より没入した際には、筆記体に連設した装飾体の装飾部が没入孔より突出するようにしたことを特徴とする。【選択図】  図５
2006069078.tif 000002
【特許請求の範囲】
【請求項１】
前軸と後軸とを互いに回転可能に連設した軸筒内に、複数の摺動溝を有し且つ前軸に連動して回転する摺動筒を配設し、後軸を前軸に対して回転させることにより、後軸に設けた回転カムのカム斜面と前記複数の摺動溝のそれぞれに収容した摺動体のカム突起とのカム作用で、該摺動体の前方に連設した筆記体の各々を前後動させ、該筆記体の筆記先端部を前軸の先端開口部より出没させる回転繰出機構を有した回転繰出式筆記具であって、前記各々の摺動体の後端に連設部を設け、該連設部の後端に装飾部を有した装飾体を配し、前記摺動体の後端より後方の前記後軸に、前記各装飾体が挿通する没入孔を有した没入部を設け、前記装飾体を前記没入孔に挿入し、前記後軸を回転して前記各々の筆記体の筆記先端部を前記軸筒の先端開口部より突出した際に、前記筆記体に連設した前記装飾体の装飾部が前記没入部の没入孔に没入し、前記軸筒の開口部より没入した際には、前記筆記体に連設した前記装飾体の装飾部が没入孔より突出するようにしたことを特徴とした装飾体付きの回転繰出式筆記具。
【請求項２】
前記装飾体に、該装飾体が連設した各々の筆記体に収納したインキと同色の着色部を設け、前記後軸を回転させ各々の筆記先端部を前軸の先端開口部より突出させた際に、前記装飾体の着色部が前記没入孔より突出して、前記着色部が軸筒の側面に設けた窓部より視認可能となることを特徴とした請求項１記載の装飾体付きの回転繰出式筆記具。
【発明の詳細な説明】
【技術分野】
【０００１】
本発明は、軸筒内に設けた回転繰出機構により、後軸を前軸に対して回転させることにより、軸筒の内部に配設した筆記体が前軸の先端開口部から出没する回転繰出式筆記具において、回転動作に伴って、軸筒に配設した各々の筆記体に連設した装飾体が動作する構造の回転繰出式筆記具に関するものである。
【背景技術】
【０００２】
従来より、ノック繰出式筆記具においては、軸筒内部に収容した筆記体の筆記先端部を軸筒先端から突出させるノック操作に連動させて、軸筒の後部に配設した装飾体が動作する構造の筆記具が知られている。この様な玩具的要素を取り入れた筆記具としては、例えば、実開平６−７４３８６号公報では、軸部材の側面より突出する操作片を有した操作部材を下方へ押し下げて係止させると、芯体の芯先が軸部材の先端より突出すると共に軸端に設けた装飾体（ペンギンを模した形態）の可動部材（羽根の形）が上方に回動して羽根を拡げたような状態で上側に動き、係止を解除して操作部材が上がると芯先が軸部材の先端に没入すると共に、可動部材が下方へ回動して羽根をたたむように元の位置に戻る構造が開示されている。また、実公昭４−３２３１２号公報においては、外筒の後端部に取付けた作動部材をノック操作することにより、外筒内の芯パイプが前方へ移動して芯送り出し機構を作動させ、芯が送り出されるのと殆ど同時に、作動部材に被着した意匠部材（ロボット、雪ダルマ）の両手が上下動する構造が開示されている。
【０００３】
上記の通り、従来の可動する装飾体が付いた筆記具においては、筆記先端部の出没時あるいは筆記芯の繰出時のノック操作と共に、その縦のノック操作（動作）に合わせて装飾体の一部が前後動する構造が多く開示されているが、回転繰出式筆記具については、回転という横の操作（動作）と装飾体の上下動という縦の動きが不一致であるため、可動する装飾体が付いた回転繰出式筆記具は存在しなかった。
【特許文献１】実開平６−７４３８６号公報
【特許文献２】実公昭４−３２３１２号公報
【発明の開示】
【発明が解決しようとする課題】
【０００４】
回転繰出式筆記具に可動する装飾体を配設し、玩具的な趣向性を有するものを提供することを目的とする。
【課題を解決するための手段】
【０００５】
本発明は、
「１．前軸と後軸とを互いに回転可能に連設した軸筒内に、複数の摺動溝を有し且つ前軸に連動して回転する摺動筒を配設し、後軸を前軸に対して回転させることにより、後軸に設けた回転カムのカム斜面と前記複数の摺動溝のそれぞれに収容した摺動体のカム突起とのカム作用で、該摺動体の前方に連設した筆記体の各々を前後動させ、該筆記体の筆記先端部を前軸の先端開口部より出没させる回転繰出機構を有した回転繰出式筆記具であって、前記各々の摺動体の後端に連設部を設け、該連設部の後端に装飾部を有した装飾体を配し、前記摺動体の後端より後方の前記後軸に、前記各装飾体が挿通する没入孔を有した没入部を設け、前記装飾体を前記没入孔に挿入し、前記後軸を回転して前記各々の筆記体の筆記先端部を前記軸筒の先端開口部より突出した際に、前記筆記体に連設した前記装飾体の装飾部が前記没入部の没入孔に没入し、前記軸筒の開口部より没入した際には、前記筆記体に連設した前記装飾体の装飾部が没入孔より突出するようにしたことを特徴とした装飾体付きの回転繰出式筆記具。
２．前記装飾体に、該装飾体が連設した各々の筆記体に収納したインキと同色の着色部を設け、前記後軸を回転させ各々の筆記先端部を前軸の先端開口部より突出させた際に、前記装飾体の着色部が前記没入孔より突出して、前記着色部が軸筒の側面に設けた窓部より視認可能となることを特徴とした請求項１記載の装飾体付きの回転繰出式筆記具。」
である。
【０００６】
本発明における装飾体の装飾部とは、動物、植物、人形や乗物等の形態、単なる形状あるいは着色等による装飾を部材に施したものをいう。摺動体と連設部と装飾体は一体で成形しても良いし、それぞれを別体に成形したものであっても良い。また、軸筒の窓部とは、後軸の側面に開口窓を設けたり、あるいは後軸自体を透明材料で成形して外部から内部が見えるようにしたものをいう。また、没入部とは装飾体の外形より大きい内径の没入孔を備えた部分で、後軸に直接形成しても、別体で形成したものを後軸に装着してもよい。本発明における回転繰出式筆記具の軸筒は、前軸と後軸とを互いに回転可能に連設するが、軸筒が前軸と後軸のみからなる構造のものでも良いし、前軸と後軸の間に中継軸を設けて、該中継軸が前記前軸か後軸のどちらかに連動して回転可能に設けた構造のものでも良い。
【発明の効果】
【０００７】
本発明の装飾体付きの回転繰出式筆記具は、後軸を前軸に対して回転させた際に前後動を行う摺動体の動作を利用して装飾体を前後動させることにより、回転という横方向の動作で装飾体の装飾部が孔から出たり入ったりするピストン運動を行うことができる。
【０００８】
また、筆記体の筆記先端部が先端開口部から突出した際に、装飾体の着色部が軸筒の側面に設けた窓部より視認可能とすることにより、先端開口部から突出している筆記体の筆記色が窓部を見て判別できるという実用的な効果が生じる。
【発明を実施するための最良の形態】
【０００９】
次に図面を参照しながら、３本の筆記体を備えた回転繰出式筆記具を説明するが、本発明は以下の実施例に限定されるものではない。
図１は全ての筆記先端部が軸筒内に没入した状態である。図１Ａは側面から見た図で、図１Ｂは図１Ａを上から見た拡大図である。図２は図１の状態を背面から見た図である。図２Ａは側面から見た図で、図２Ｂは図２Ａを上から見た拡大図である。回転繰出式筆記具１は、軸筒２内に回転繰出機構を配設した、いわゆる回転繰出式筆記具と呼ばれているものである。軸筒２は透明樹脂で成形した前軸３と後軸４とで構成され、後軸４は前軸３に対して回転可能に配設してある。前軸３にはグリップ３０を被覆してある。軸筒２内には、黒色、赤色及び青色の油性インキ（図示せず）を充填した３本のボールペンの筆記体５（赤色），６（青色），７（黒色）を収納している。軸筒２内には、前記各々の筆記体５，６，７の筆記先端部５ａ，６ａ，７ａを軸筒の先端開口部２ａより繰出すための回転繰出機構を具備してある。
【００１０】
回転繰出機構は従来より知られており、簡単に説明すると、前軸３の後方端部に螺合により固着した摺動筒８の後端部８０を後軸４の内方に突起した突起部４０に係合させ、後軸４を前軸３に対し回転自在に配設してある（図７参照）。摺動筒８は前後が開口した摺動溝８ａ，８ｂ，８ｃを形成してある。各々の摺動溝８ａ，８ｂ，８ｃには、前方に筆記体５，６，７を連設した摺動体９，１０，１１を各々に収容し、コイルスプリング１２により前記各摺動体を後方へ付勢してある。前記摺動体９，１０，１１の側面には、後方に向かって尖った頂部９ａ，１０ａ，１１ａを有した突起９ｂ，１０ｂ，１１ｂを設けてある。後軸４の内側面には、軸心に沿った方向に変位するように形成したカム斜面４ａを有した回転カム４ｂを設けてあり、前記突起９ｂ，１０ｂ，１１ｂが当接する。後軸４を前軸３に対して回転することにより、回転カム４ｂが回転し、カム斜面４ａと該カム斜面に当接した各摺動体９，１０，１１の突起９ｂ，１０ｂ，１１ｂとのカム作用で各筆記体５，６，７を前後動させ、筆記体の筆記先端部５ａ，６ａ，７ａを軸筒の先端開口部２ａより出没させる構造である。
【００１１】
各摺動体９，１０，１１の後端には連設棒（連設部）１６を設けてあり、該連設棒１６の後端には装飾体１３，１４，１５を配設してある。本実施例の装飾体１３，１４，１５の装飾部１３ａ，１４ａ，１５ａはモグラの頭の形状をしており、装飾部１３ａは泣いた顔、装飾部１４ａは笑った顔、装飾部１５ａは怒った顔のモグラとしてある。さらに、各装飾体の前方部には筆記体５，６，７の筆記色「赤色，青色，黒色」と一致する塗料を塗布して着色部１３ｂ（赤色），１４ｂ（青色），１５ｂ（黒色）を設けてある。図３は筆記体、摺動体、連設棒、装飾体の関係を詳細に示す図である。図３は筆記体５（赤色）に関するものであるが構造的には他の筆記体６，７も同様である。図３に示すように、摺動体９の後方には丸孔９ｃが設けてあり、装飾体１３の前方には丸孔１３ｃを設けてあり、それぞれに丸棒である連設棒１６の両端部を挿嵌して双方を連設してある。尚、筆記体５は従来通り摺動体９の前方に設けた丸孔９ｄに挿嵌して連設してある。
【００１２】
図４は軸筒の後端部近傍構造を示す図である。没入体１７は内部が見えない不透明な樹脂で成形した円柱形状のもので、装飾体１３，１４，１５が挿通する１つの没入孔１７ａを形成してあり、没入体１７の前方部に形成したリング状の円筒部１７ｂは後軸４の後方部と圧入嵌合する。（図１Ａ参照）。本実施例では、没入体１７の後方部に雄螺子１７ｃを形成し、没入体１７の後方に突出する装飾体１３，１４，１５を被覆するキャップ１８の前方に形成した雌螺子１８ａと螺合させている。尚、キャップ１８は透明樹脂で成形しており内部が見える。
【００１３】
図１，図２に示すように、全ての筆記先端部が軸筒内に没入した状態の回転繰出式筆記具１は、摺動体９，１０の突起９ｂ，１０ｂが回転カム４ｂのカム斜面４ａの中間部に位置しており、筆記体５（赤色），６（青色）の筆記先端部５ａ，６ａは先端開口部２ａの端部近傍の内側に没入している。摺動体１１の突起１１ｂは回転カム４ｂのカム斜面４ａからずれた後方部に位置し、筆記先端部７ａは先端開口部２ａから奥まった位置に没入している（図２Ａ参照）。装飾体１３，１４の装飾部１３ａ（泣いた顔のモグラ），１４ｂ（笑った顔のモグラ）は没入体１７の没入孔１７ａに没入しており、装飾体１５の装飾部１５ｂ（怒った顔のモグラ）だけが没入孔１７ａの後端から突出した状態である。各装飾体の着色部１３ｂ，１４ｂ，１５ｂは没入孔１７ａに没入した状態である。前述の通り、後軸４は透明樹脂で成形してあり、側面が内部を見ることができる窓部４ｃとなっている。したがって、本実施例の回転繰出式筆記具１では、窓部４ｃから着色部１３ｂ，１４ｂ，１５ｂのいずれもが見えない時には、全ての筆記先端部５ａ，６ａ，７ａが軸筒２内に没入して、筆記ができない状態であることが判る。尚、図１Ｂ，図２Ｂのように上から見た図における装飾体に付けたドットは、装飾体が孔に没入した状態を模式的に表現するものであり、そのドットの数が多いほど（図５Ｂ、図６Ｂ参照）、装飾体は孔の奥まった位置にあることを表現している。
【００１４】
図５は筆記体５の筆記先端部５ａを軸筒の先端開口部２ａより突出させた状態である。図５Ａは側面から見た図で、図５Ｂは図５Ａを上から見た拡大図である。図６は図５の状態を右方向から見た図である。図６Ａは側面から見た図で、図６Ｂは図６Ａを上から見た拡大図である。図７は筆記体の筆記先端部が軸筒の先端開口部から突出した状態の時の縦断面図である。図５，図６，図７に示す回転繰出筆記具１は、後軸４を前軸３に対して時計回りに回転（図１Ｂの矢印Ｓ方向）させることにより後軸４の回転カム４ｂが回転し、コイルスプリング１２の付勢力に抗してカム作用で摺動体９の突起９ｂをカム斜面４ａの前方へ移動させた状態である。摺動体１０，１１の突起１０ｂ，１１ｂは回転カム４ｂのカム斜面４ａからずれた後方部に位置し、筆記先端部６ａ，７ａは先端開口部２ａから奥まった位置に没入している（図６Ａ参照）。筆記体５（赤色）の筆記先端部５ａは軸筒の先端開口部２ａより突出し、筆記体５と一体になった装飾体１３の装飾部１３ａ（泣き顔のモグラ）は没入体１７の没入孔１７ａに没入しており、装飾部１４ａ（笑い顔のモグラ）、１５ａ（怒り顔のモグラ）が没入孔１７ａの後端から突出している。着色部１４ｂ（青色），１５ｂ（黒色）は没入孔１７ａに没入して見えない状態となっており、装飾体１３の前方部にある着色部１３ｂ（赤色）のみが没入体１７の没入孔１７ａ前端より突出し、窓部４ｃから見える状態である。したがって、本実施例の回転繰出筆記具１では、窓部４ｃから赤色の着色部５ｂが見える時には、筆記体５（赤色）の筆記先端部５ａが先端開口部２ａより突出して、赤の筆記線が書ける状態であることが判る。
【００１５】
図示はしないが、図５の状態の後軸４を前軸３に対して反時計回りに回転させると（図５Ｂの矢印Ｔ方向）、コイルスプリング１２の付勢力で筆記先端部５ａが先端開口部２ａに没入しながら装飾部１３ａ（泣き顔のモグラ）が没入孔１７ａの後端より突出し、替わりに筆記体６（青色）の筆記先端部６ａが先端開口部２ａより突出しながら装飾体１４の装飾部１４ａ（笑い顔のモグラ）が没入孔１７ａに没入して姿を消す。この時、装飾体１４の前方に設けた着色部１４ｂ（青色）が窓部４ｃより視認できる。さらに反時計回りに回転させると、今度は筆記先端部６ａが先端開口部２ａに没入しながら装飾部１４ａ（笑い顔のモグラ）が没入孔１７ａの後端より突出し、替わりに筆記体７（黒色）の筆記先端部７ａが筆記先端部２ａより突出しながら装飾体１５の装飾部１５ａ（怒り顔のモグラ）が没入孔１７ａに没入して姿を消す。この時、装飾体１５の前方に設けた着色部１５ｂ（黒色）が窓部４ｃより視認できる。したがって、本実施例の回転繰出式筆記具では、後軸４を前軸３に対してぐるぐる回転させることにより、装飾部１３ａ，１４ａ，１５ａである泣いた顔，笑った顔，怒った顔のモグラ達が穴から顔を出したり引っ込めたりを繰り返すコミカルな動作を行うことができる。
【００１６】
図８は他の実施例の要部拡大図である。図８Ａは側面から見た図で、図８Ｂは図８Ａを上から見た図である。本実施例では、没入体１７’に、前記装飾体１３，１４，１５の各々が挿通する没入孔１７ｄ，１７ｅ，１７ｆを形成し、装飾体１３を没入孔１７ｄに、装飾体１４を没入孔１７ｅに、装飾体１５を没入孔１７ｆに挿通させている。没入体１７’は軸筒２’に固定されておらず、後方部に形成したフランジ部１７ｇを、後軸４’の後方部に形成した雄螺子４ｄとキャップ１８’の前方に形成した雌螺子部１８ａとを螺合した際に生じる隙間１８ｂに回転自在に係止してある。他の点は前述の実施例と同様のため説明を省略する。尚、図８の回転繰出式筆記具１’の各筆記体および各装飾体の状態は、前述の実施例における図１と同様である。
【００１７】
図９は、図８の状態の後軸４’を時計回りに回転（図８Ｂの矢印Ｓ方向）させ、図示しないが筆記体５の筆記先端部５ａを軸筒２’の先端開口部２ａから突出させた状態である。図９Ａは側面から見た図で、図９Ｂは図９Ａを上から見た図である。図１０は図９の状態にある回転繰出式筆記具１’の縦断面図である。尚、後軸４’を回転させた際には、没入体１７’のフランジ部１７ｇが隙間１８ｂ内で摺動するので、没入体１７’が後軸１７’に連動して回転をすることがない構造である。尚、図９の回転繰出式筆記具１’における各筆記体および各装飾体の状態は、前述の実施例における図５と同様である。
【産業上の利用可能性】
【００１８】
本発明の装飾体付きの回転繰出式筆記具は、筆記機能を有すると共に、回転繰出動作に伴って行われる装飾体の動きにより、玩具的な利用が可能である。また、筆記体と一体的に移動する装飾体に着色部を設けることにより、窓部より着色部を見た際に軸筒の先端開口部から何色の筆記体が突出しているかを判別できるようになるので、さらに有効に利用できる。
【図面の簡単な説明】
【００１９】
【図１】全ての筆記先端部が軸筒内に没入した状態である。図１Ａは側面から見た図で、図１Ｂは図１Ａを上から見た拡大図である。
【図２】は図１の状態を背面から見た図である。図２Ａは側面から見た図で、図２Ｂは図２Ａを上から見た拡大図である。
【図３】筆記体、摺動体、連設棒、装飾体の関係を詳細に示す図である。
【図４】軸筒の後端部近傍構造を示す図である。
【図５】筆記体の筆記先端部を軸筒の先端開口部より突出させた状態である。図５Ａは側面から見た図で、図５Ｂは図５Ａを上から見た拡大図である。
【図６】図５の状態を右方向から見た図である。図６Ａは側面から見た図で、図６Ｂは図６Ａを上から見た拡大図である。
【図７】筆筆記体の筆記先端部が軸筒の先端開口部から突出した状態の時の縦断面図である。
【図８】他の実施例の要部拡大図である。図８Ａは側面から見た図で、図８Ｂは図８Ａを上から見た図である。
【図９】図８の状態の後軸を時計回りに回転た状態である。図９Ａは側面から見た図で、図９Ｂは図９Ａを上から見た図である。
【図１０】図９の状態にある回転繰出式筆記具の縦断面図である。
【符号の説明】
【００２０】
１，１’…回転繰出式筆記具、２，２’…軸筒、２ａ…先端開口部、
３…前軸、４，４’…後軸、４ａ…カム斜面、４ｂ…回転カム、
５，６，７…筆記体、５ａ，６ａ，７ａ…筆記先端部、
８…摺動筒、８ａ，８ｂ，８ｃ…摺動溝、
９，１０，１１…摺動体、９ｂ，１０ｂ，１１ｂ…突起、
１２…コイルスプリング、
１３，１４，１５…装飾体、１３ａ，１４ａ，１５ａ…装飾部、
１３ｂ，１４ｂ，１５ｂ…着色部、
１６…連設棒、
１７，１７’…没入体、１７ａ，１７ｄ，１７ｅ，１７ｆ…没入孔、
１８，１８’…キャップ。
【図１】
2006069078.tif 000003
【図２】
2006069078.tif 000004
【図３】
2006069078.tif 000005
【図４】
2006069078.tif 000006
【図５】
2006069078.tif 000007
【図６】
2006069078.tif 000008
【図７】
2006069078.tif 000009
【図８】
2006069078.tif 000010
【図９】
2006069078.tif 000011
【図１０】
2006069078.tif 000012